【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
製品群を包装する方法において、
第一の製品群をカバーで包むステップであって、前記カバーが前記第一の製品群を完全に覆い包んで、第一の全体的に包まれた製品群を形成する、ステップと、
第二の製品群をカバーで包むステップであって、前記カバーが前記第二の製品群を完全に覆い包んで、第二の全体的に包まれた製品群を形成する、ステップと、
前記第一の包まれた製品群を前記第二の包まれた製品群に隣接するように並べるステップであって、１つの製品集合体が形成される、ステップと、
前記製品集合体を結束材で結束して結束された製品集合体を形成するステップであって、前記結束材は、前記結束材の全長に沿って前記第一の製品群または前記第二の製品群のいずれかの高さよりも小さい幅を有する、ステップと、
前記結束された製品集合体を包み材で、（ｉ）前記包み材が前記製品集合体と前記結束された製品集合体の前記結束材とを完全に覆い包み、（ｉｉ）前記包み材が前記結束材に直接接触するように包むステップと、を含み、
前記第一の製品群の前記カバーと、前記第二の製品群の前記カバーと、前記結束材と、前記包み材とが、それぞれプラスチック材料からなる、ことを特徴とする方法。
【請求項２】
請求項１に記載の方法において、前記結束された製品集合体を半剛体シートの上に配置するステップをさらに含むことを特徴とする方法。
【請求項３】
請求項２に記載の方法において、前記半剛体シートは段ボール材料であることを特徴とする方法。
【請求項４】
請求項１に記載の方法において、前記結束された製品集合体を剛体シートの上に配置するステップをさらに含むことを特徴とする方法。
【請求項５】
請求項１に記載の方法において、前記第一の製品群と前記第二の製品群の各々のための前記カバーが保護用包み材であることを特徴とする方法。
【請求項６】
請求項１に記載の方法において、前記結束材が、弾性を有するプラスチック材料であることを特徴とする方法。
【請求項７】
請求項１に記載の方法において、前記結束材が前記製品集合体に圧縮力をかけて、前記製品集合体を結束することを特徴とする方法。
【請求項８】
請求項１に記載の方法において、前記結束材を前記製品集合体の周囲に円周方向に配置して、前記製品集合体を結束するステップをさらに含むことを特徴とする方法。
【請求項９】
請求項１に記載の方法において、前記結束材が、少なくとも（ｉ）一部が透明、（ｉｉ）一部が半透明、および（ｉｉｉ）一部が不透明のうちの１つであることを特徴とする方法。
【請求項１０】
請求項１に記載の方法において、前記結束材が、（ｉ）図画表示、および（ｉｉ）文字表示のうちの少なくとも１つを含むことを特徴とする方法。
【請求項１１】
請求項１に記載の方法において、前記結束材が、（ｉ）１本の素材細長片、および（ｉｉ）複数の素材細長片のうちの１つから形成されることを特徴とする方法。
【請求項１２】
請求項１に記載の方法において、前記結束材の端を互いに連結するステップをさらに含むことを特徴とする方法。
【請求項１３】
請求項１２に記載の方法において、前記結束材の前記端が、（ｉ）溶接、および（ｉｉ）プラスチック加熱のうちの１つにより連結されることを特徴とする方法。
【請求項１４】
請求項１２に記載の方法において、前記結束材が、前記端を連結する際に、目に見えるほどには変形されないことを特徴とする方法。
【請求項１５】
請求項１２に記載の方法において、前記結束材が、（ｉ）図画表示、（ｉｉ）文字表示、および（ｉｉｉ）不透明領域のうちの少なくとも１つを含み、図画表示、文字表示、不透明領域のうちの前記の少なくとも１つが、前記端を連結する際に変形されないことを特徴とする方法。
【請求項１６】
請求項１に記載の方法において、前記包み材を加熱して、前記結束された製品集合体の周囲で前記包み材を収縮させるステップをさらに含むことを特徴とする方法。
【請求項１７】
請求項１に記載の方法において、前記包み材が、少なくとも（ｉ）一部が透明、（ｉｉ）一部が半透明、および（ｉｉｉ）一部が不透明のうちの１つであることを特徴とする方法。
【請求項１８】
請求項１に記載の方法において、前記包み材が、（ｉ）図画表示、および（ｉｉ）文字表示のうちの少なくとも１つを含むことを特徴とする方法。
【請求項１９】
請求項１に記載の方法において、前記包み材が穴を含むことを特徴とする方法。
【請求項２０】
請求項１に記載の方法において、前記包み材が管の形状のプラスチック材料であることを特徴とする方法。
【請求項２１】
請求項１に記載の方法において、前記第一の製品群と前記第二の製品群の各々が、ロール状シート製品を含むことを特徴とする方法。
【請求項２２】
請求項２１に記載の方法において、前記ロール状シート製品を各製品群の中で一列に配列するステップをさらに含むことを特徴とする方法。
【請求項２３】
請求項２１に記載の方法において、前記ロール状シート製品を各製品群の中で端を合わせて積み重ねるステップをさらに含むことを特徴とする方法。
【請求項２４】
請求項２３に記載の方法において、前記積み重ねられたロール状シート製品を各製品群の中で一列に配列するステップをさらに含むことを特徴とする方法。
【請求項２５】
請求項１に記載の方法において、各製品群の中の製品が、（ｉ）長方形の製品、（ｉｉ）平坦な製品、および（ｉｉｉ）皿形の製品のうちの少なくとも１つであることを特徴とする方法。
【請求項２６】
請求項１に記載の方法において、前記第一の製品群の前記カバーと前記第二製品群の前記カバーの各々が、少なくとも（ｉ）一部が透明、（ｉｉ）一部が半透明、および（ｉｉｉ）一部が不透明のうちの１つであることを特徴とする方法。
【請求項２７】
請求項１に記載の方法において、第一の製品群の前記カバーと前記第二製品群の前記カバーの各々が、（ｉ）図画表示、および（ｉｉ）文字表示のうちの少なくとも１つを含むことを特徴とする方法。
【請求項２８】
製品群のパッケージにおいて、
カバーで完全に覆い包まれた第一の製品群を含む、第一の全体的に包まれた製品群と、
カバーで完全に覆い包まれた第二の製品群を含み、前記第一の包まれた製品群に隣接するように配置された、第二の全体的に包まれた製品群と、
前記第一の包まれた製品群と前記第二の包まれた製品群の周囲に配置され、結束された製品集合体を形成する結束材であって、前記結束材は、前記結束材の全長に沿って前記第一の製品群または前記第二の製品群のいずれかの高さよりも小さい幅を有する、結束材と、
前記結束材と、前記結束された製品集合体の前記第一の包まれた製品群と、前記第二の包まれた製品群とを、前記包み材が前記結束材に直接接触するように完全に覆い包む包み材と、を含み、
前記第一の製品群の前記カバーと、前記第二の製品群の前記カバーと、前記結束材と、前記包み材とが、それぞれプラスチック材料からなることを特徴とするパッケージ。
【請求項２９】
請求項２８に記載のパッケージにおいて、前記結束された製品集合体の下に配置された半剛体シートをさらに含むことを特徴とするパッケージ。
【請求項３０】
請求項２９に記載のパッケージにおいて、前記半剛体シートは段ボール材料であることを特徴とするパッケージ。
【請求項３１】
請求項２８に記載のパッケージにおいて、前記第二の製品集合体の下に配置された剛体シートをさらに含むことを特徴とするパッケージ。
【請求項３２】
請求項２８に記載のパッケージにおいて、前記第一の製品群と前記第二の製品群の各々の前記カバーが保護用包み材であることを特徴とするパッケージ。
【請求項３３】
請求項２８に記載のパッケージにおいて、前記結束材が弾性を有するプラスチック材料であることを特徴とするパッケージ。
【請求項３４】
請求項２８に記載のパッケージにおいて、前記結束材が前記製品集合体に圧縮力をかけて、前記製品集合体を結束することを特徴とするパッケージ。
【請求項３５】
請求項２８に記載のパッケージにおいて、前記結束材が前記製品集合体の周囲に円周方向に配置されて、前記製品集合体を結束することを特徴とするパッケージ。
【請求項３６】
請求項２８に記載のパッケージにおいて、前記結束材が、少なくとも（ｉ）一部が透明、（ｉｉ）一部が半透明、および（ｉｉｉ）一部が不透明のうちの１つであることを特徴とするパッケージ。
【請求項３７】
請求項２８に記載のパッケージにおいて、前記結束材が、（ｉ）図画表示、および（ｉｉ）文字表示のうちの少なくとも１つを含むことを特徴とするパッケージ。
【請求項３８】
請求項２８に記載の製品群のパッケージにおいて、前記結束材が、（ｉ）１本の素材細長片、および（ｉｉ）複数の素材細長片のうちの１つから形成されることを特徴とするパッケージ。
【請求項３９】
請求項２８に記載のパッケージにおいて、前記結束材の端が、（ｉ）溶接、および（ｉｉ）プラスチック加熱の１つによって連結されることを特徴とするパッケージ。
【請求項４０】
請求項３９に記載のパッケージにおいて、前記結束材が、前記端を連結する際に、目に見えるほどには変形されないことを特徴とするパッケージ。
【請求項４１】
請求項２８に記載のパッケージにおいて、
前記結束材が、（ｉ）図画表示、（ｉｉ）文字表示、および（ｉｉｉ）不透明領域のうちの少なくとも１つを含み、前記図画表示、文字表示、不透明領域のうちの前記少なくとも１つが、前記端を連結する際に変形されないことを特徴とするパッケージ。
【請求項４２】
請求項２８に記載のパッケージにおいて、前記包み材が加熱されて、前記結束された製品集合体の周囲で前記包み材が収縮することを特徴とするパッケージ。
【請求項４３】
請求項２８に記載のパッケージにおいて、前記包み材が、少なくとも（ｉ）一部が透明、（ｉｉ）一部が半透明、および（ｉｉｉ）部分的に不透明のうちの１つであることを特徴とするパッケージ。
【請求項４４】
請求項２８に記載のパッケージにおいて、前記包み材が、（ｉ）図画表示、および（ｉｉ）文字表示のうちの少なくとも１つを含むことを特徴とするパッケージ。
【請求項４５】
請求項２８に記載のパッケージにおいて、前記包み材が穴を含むことを特徴とするパッケージ。
【請求項４６】
請求項２８に記載のパッケージにおいて、前記包み材が管の形状のプラスチック材料であることを特徴とするパッケージ。
【請求項４７】
請求項２８に記載のパッケージにおいて、前記第一の製品群と前記第二の製品群の各々が、ロール状シート製品を含むことを特徴とするパッケージ。
【請求項４８】
請求項４７に記載のパッケージにおいて、前記ロール状シート製品が各製品群の中で一列に整列されることを特徴とするパッケージ。
【請求項４９】
請求項４７に記載のパッケージにおいて、前記ロール状シート製品が各製品群の中で端を合わせて積み重ねられることを特徴とするパッケージ。
【請求項５０】
請求項４９に記載のパッケージにおいて、前記積み重ねられたロール状シート製品が各製品群の中で一列に配列されることを特徴とするパッケージ。
【請求項５１】
請求項２８に記載のパッケージにおいて、各製品群の中の製品が、（ｉ）長方形の製品、（ｉｉ）平坦な製品、および（ｉｉｉ）皿形の製品のうちの少なくとも１つであることを特徴とするパッケージ。
【請求項５２】
請求項２８に記載のパッケージにおいて、前記第一の製品群の前記カバーと前記第二製品群の前記カバーの各々が、少なくとも（ｉ）一部が透明、（ｉｉ）一部が半透明、および（ｉｉｉ）一部が不透明のうちの１つであることを特徴とするパッケージ。
【請求項５３】
請求項２８に記載のパッケージにおいて、前記第一の製品群の前記カバーと前記第二製品群の前記カバーの各々が、（ｉ）図画表示、および（ｉｉ）文字表示のうちの少なくとも１つを含むことを特徴とするパッケージ。